(57)【要約】【課題】掃除をしながら掃除対象物の殺虫処理を行うこと。【解決手段】掃除すべき対象物に接触可能な吸込口から塵埃を含む空気を電動送風機によって集塵部に吸引すると共に、浄化された空気を排出路を介して前記対象物の方向へ排出する掃除機構を備え、前記電動送風機の上流に前記吸込口と集塵部が、下流に前記排出路が設けられ、前記排出路に揮発性の殺虫剤または忌避剤を含む通気性部材が設けられることを特徴とする電気掃除機。【選択図】図６
2018082803.tif 000002
【特許請求の範囲】
【請求項１】
掃除すべき対象物に接触可能な吸込口から塵埃を含む空気を電動送風機によって集塵部に吸引すると共に、浄化された空気を排出路を介して前記対象物の方向へ排出する掃除機構を備え、前記電動送風機の上流に前記吸込口と集塵部が、下流に前記排出路が設けられ、前記排出路に揮発性の殺虫剤または忌避剤を含む通気性部材が設けられることを特徴とする電気掃除機。
【請求項２】
前記通気性部材は、複数の開口を有し前記排出路の出口に外部から離脱可能に取り付けられる板状部材からなる請求項１記載の電気掃除機。
【請求項３】
前記板状部材は、前記揮発性殺虫剤または忌避剤を練り込んだ樹脂からなる請求項２記載の電気掃除機。
【請求項４】
前記通気性部材は、前記殺虫剤または忌避剤を含浸させた通気性の不織布と、それを支持する通気性の支持板からなる請求項１記載の電気掃除機。
【請求項５】
前記揮発性殺虫剤または忌避剤が、植物精油からなる請求項１〜４のいずれか１つに記載の電気掃除機。
【発明の詳細な説明】
【技術分野】
【０００１】
この発明は、電気掃除機に関する。
【背景技術】
【０００２】
この発明の背景技術としては、植物精油からなる芳香剤をフィルム状材料で包んで集塵袋の一部に取り付け、集塵袋の掃除機へのセット時に、あるいは掃除機の使用時にフィルム状材料を破って、植物精油の芳香を発し、集塵袋に集められた塵埃の中のダニのような害虫を殺すようにした電気掃除機が知られている（例えば、特許文献１参照）。
【先行技術文献】
【特許文献】
【０００３】
【特許文献１】特開平３−１８６２４１号公報
【発明の概要】
【発明が解決しようとする課題】
【０００４】
しかしながら、従来のこのような電気掃除機においては、集塵袋に集められた塵埃の中の害虫を殺すことはできるが、掃除の対象物、例えばカーペットや寝具に潜む害虫を殺すことはできない。従って、掃除機の使用と同時に、掃除の対象物に潜む害虫を殺すことが可能な電気掃除機の実現が望まれていた。
【０００５】
この発明は、このような事情を考慮してなされたもので、掃除機の使用時に掃除の対象物に殺虫剤または忌避剤を吹き付けて浸透させ、それによって掃除の対象物に潜む害虫を殺すもしくは対象物から追い出すようにした電気掃除機を提供するものである。
【課題を解決するための手段】
【０００６】
この発明は、掃除すべき対象物に接触可能な吸込口から塵埃を含む空気を電動送風機によって集塵部に吸引すると共に、浄化された空気を排出路を介して前記対象物の方向へ排出する掃除機構を備え、前記電動送風機の上流に前記吸込口と集塵部が、下流に前記排出路が設けられ、前記排出路に揮発性の殺虫剤または忌避剤を含む通気性部材が設けられることを特徴とする電気掃除機を提供するものである。
【発明の効果】
【０００７】
この発明によれば、排出路に揮発性の殺虫剤または忌避剤を含む通気性部材が設けられているので、通気性部材に含まれる殺虫剤または忌避剤が、掃除作業と共に電動送風機からの温風によって揮発され、温風と共に掃除対象物に吹き付けられる。それによって、殺虫または忌避成分が掃除対象物に浸透し、殺虫処理または忌避処理を効果的に行うことができる。
【図面の簡単な説明】
【０００８】
【図１】この発明の実施形態１に係る電気掃除機の外観斜視図である。
【図２】図１に示す電気掃除機の側面図である。
【図３】図１に示す電気掃除機の底面図である。
【図４】図１に示す電気掃除機の縦断面図である。
【図５】図１に示す電気掃除機の空気の流れを示す説明図である。
【図６】図４のＢ部拡大図である。
【図７】この発明の実施形態２に係る電気掃除機の図６対応図である。
【図８】この発明の実施形態３に係る電気掃除機の図６対応図である。
【発明を実施するための形態】
【０００９】
この発明の電気掃除機は、掃除すべき対象物に接触可能な吸込口から塵埃を含む空気を電動送風機によって集塵部に吸引すると共に、浄化された空気を排出路を介して前記対象物の方向へ排出する掃除機構を備え、前記電動送風機の上流に前記吸込口と集塵部が、下流に前記排出路が設けられ、前記排出路に揮発性の殺虫剤または忌避剤を含む通気性部材が設けられることを特徴とする。なお、前記忌避剤は害虫増殖抑制剤も含む。
【００１０】
前記通気性部材は、前記排出路の出口に外部から離脱可能に取り付けられる板状部材（排出路キャップ）であることが好ましい。また、前記板状部材は、前記揮発性殺虫剤または忌避剤を含浸させた樹脂から形成できる。
【００１１】
前記通気性部材は、前記殺虫剤または忌避剤を含浸させた通気性の不織布と、それを支持する通気性の支持板から構成されてもよい。前記揮発性殺虫剤または忌避剤には、植物精油を好適に用いることができる。
【００１２】
以下、図面に示す実施形態１〜３を用いてこの発明を詳述する。これによって、この発明が限定されるものではない。
【００１３】
〔実施形態１〕
（電気掃除機１の構成）
図１はこの実施形態に係る電気掃除機１の外観斜視図である。図２は電気掃除機１の側面図である。図３は電気掃除機１の底面図である。図４は電気掃除機１の縦断面図である。図５は電気掃除機１の空気の流れを示す説明図である。
【００１４】
図１〜図５に示されるように、電気掃除機１は、掃除機本体１０と、吸引した空気から塵埃を分離する集塵装置２０とを備えている。掃除機本体１０は、底部が平たい円錐形状の外観を有する。集塵装置２０は、掃除機本体１０の傾面部分に露出した状態で、掃除機本体１０に対して着脱可能に取り付けられている。
【００１５】
掃除機本体１０における、集塵装置２０が取り付けられる側とは反対側には、Ｌ字状の把手３０が設けられている。ユーザは、この把手３０を把持して電気掃除機１をカーペットや布団等の掃除対象物に対して移動させて掃除を行う。電気掃除機１を移動させる方向は、図２、図４に示す矢印Ａにて示す方向であり、電気掃除機１を把手３０のある側に引く方向である。以降、説明の便宜上、掃除機本体１０における集塵装置２０側を前側、把手３０側を後側とする。
【００１６】
なお、電気掃除機１の移動は、矢印Ａの方向に限らず、矢印Ａと反対方向も可能であり、電気掃除機１を往復移動させることも可能である。この場合、後述する排出口３からの温風により掃除対象物からの湿気を除くことができる。
【００１７】
また、後述する回転ブラシ２６の回転による吸込口２からの吸引で塵埃などを集塵することができる。また、所定温度以上の排気を吹き付けることで、布団等の掃除対象物中に含まれる水分が除去され、布団等をふっくらさせることができる。なお、これは、電気掃除機１の移動方向に関係なく行えるものである。
【００１８】
また、把手３０には、電気掃除機１の起動と停止を指示するスイッチを有する入力部（図示しない）が設けられている。
【００１９】
また、掃除機本体１０の底面には、前側に、掃除対象物についた塵埃を空気とともに吸い込む吸込口２が設けられ、後側に、塵埃が除去された後の空気を排出する排出口３が設けられている。
【００２０】
吸込口２は、電気掃除機１の移動させる方向と直交する方向に延びる矩形形状をなし、掃除対象物の表面から、塵埃またはダニなどの害虫を掻き出す回転ブラシ２６が取り付けられている。回転ブラシ２６は回転ブラシ駆動モータ１４（図４）により駆動される。吸込口２から吸い込まれた空気は、集塵装置２０へ送られる。
【００２１】
排出口３は、複数の開口から形成されている。集塵装置２０から排出された空気は、電動送風機４の排熱で加熱された状態で排出路５を介して排出口３から排出される。
【００２２】
掃除機本体１０の底面中央には、図３に示すように、吸込口２と排出口３との間を仕切る仕切壁２５が立設されている。排出口３から排出される排気は加熱されているため、その温度があまり下がらない状態で再び吸込口２から吸い込まれると、排気の循環により掃除機本体１０に過度の温度上昇が起こる。仕切壁２５を設けることで、排出口３からの排気がそのまま吸込口２から吸引されることがなくなり、排気の循環による過度の温度上昇を防止することができる。
【００２３】
また、掃除機本体１０の底面における吸込口２よりも前側には、電気掃除機１を移動させる方向（矢印Ａ方向）に平行に伸びる案内部２９が複数立設されている。案内部２９を設けることで、吸引されて浮き上がった掃除対象物にて吸込口２が塞がれる事態を回避し、かつ、移動させる方向への電気掃除機１の滑りをよくできる。
【００２４】
掃除機本体１０の内部には、電動送風機４と、排気フィルタ６とが備えられている。電動送風機４は、吸気を行うための送風ファンおよび送風ファンを回転駆動する電動送風機駆動モータ４ａを有している。電動送風機４は、送風ファンを回転させることで、吸込口２から空気を吸い込み、集塵装置２０を経て排出口３から外部へ排出する。
【００２５】
排気フィルタ６は、電動送風機４と排出口３との間に着脱可能に設けられている。排気フィルタ６は、集塵装置２０にて集塵が除去された排気を通過させることで、排出口３から排出される空気をさらに清浄化するものである。
【００２６】
（集塵装置の構成）
以下、集塵装置２０の構成について図４を用いて詳細に説明する。この実施形態における集塵装置２０はサイクロン方式を採用し、集塵カップ２１と、集塵カップ２１を閉塞する上蓋ユニット２２と、上蓋ユニット２２を覆うカバー２３とを備えている。
【００２７】
集塵カップ２１には、塵埃を含む空気を導入するための流入口２１ａが形成されている。集塵カップ２１は、上部が開口されており、内部に、上蓋ユニット２２が支持される。また、集塵カップ２１と上蓋ユニット２２とは連通している。
【００２８】
集塵カップ２１内には、内筒部２１１及びダスト仕切部２１２が設けられている。内筒部２１１は、上蓋ユニット２２と連通している。また、ダスト仕切部２１２は、内筒部２１１における上蓋ユニット２２と反対側に連結され、集塵カップ２１の底部に当接して設けられている。
【００２９】
内筒部２１１は、遠心分離部４０によるサイクロン分離後の空気を上蓋ユニット２２へと通気するように構成されている。内筒部２１１は、上蓋ユニット２２に連結する上側端縁２１１ａと、遠心分離後の空気を通すための複数のスリット２１１ｂを有する胴部２１１ｃと、ダスト仕切部２１２と連結する下側端縁２１１ｄとを有している。なお、胴部２１１ｃの外周にはメッシュ状の吸気側フィルタが巻き付けられている。
【００３０】
ダスト仕切部２１２は、中心孔を有する円板形のフランジ部２１２ｂと、大径筒部２１２ａと、小径筒部２１２ｃとを有する。大径筒部２１２ａは、フランジ部２１２ｂの外周端から上方向及び下方向の両方向に突出して設けられている。
【００３１】
また、小径筒部２１２ｃは、フランジ部２１２ｂの内周部から垂下して設けられている。また、小径筒部２１２ｃの下端部は、閉塞状態であり筒部が塞がれている。
【００３２】
さらに、上蓋ユニット２２内には、つづら折り状（プリーツ）のフィルタ等を有するフィルターユニットが収容されている。つづら状のフィルタに堆積した塵埃をフィルタの除塵機構などにより除塵した塵埃を落下させて筒部へ堆積させてダスト仕切部を取り出すことで塵埃を廃棄する。
【００３３】
電動送風機４を作動させると、吸込口２から吸引流路１１を介して塵埃を含有した空気が吸気される。吸込口２から吸気された空気は、図４と図５の矢印Ｙで示す流れを形成して、流入口２１ａから集塵装置２０に流入し、上蓋ユニット２２を通過し、集塵装置２０から排出される。
【００３４】
上記構成において、集塵カップ２１内のダスト仕切部２１２の上部にあるフランジ部２１２ｂを境に、上部が遠心分離部４０として作用する。すなわち、集塵装置２０において、遠心分離部４０は、集塵カップ２１の内側面及び内筒部２１１の外周面等によって構成された旋回風路である。
【００３５】
そして、流入口２１ａは、遠心分離部４０が構成する旋回風路の接線方向に開口している。それゆえ、流入口２１ａを介して流入した空気は、図４と図５に示す空気流Ｙのように、遠心分離部４０が構成する旋回風路を旋回することによって、空気中の塵埃が遠心分離される。遠心分離された塵埃のうち、比較的大きい粗塵は、遠心力の作用により、集塵カップ２１の内側面に沿って落下して、ダスト仕切部２１２の下方に集積される。
【００３６】
粗塵が分離された空気は、図４に示すように内筒部２１１を通過する。このとき、遠心分離部４０によって分離されなかった比較的小さい細塵は、空気流とともに、内筒部２１１のスリット２１１ｂを介して上昇する。
【００３７】
一方、粗塵は、胴部２１１ｃに巻き付けられたメッシュ状のフィルタによって濾過される。内筒部２１１を通過した空気は、矢印Ｘで示される流れを形成し、上蓋ユニット２２に収容されたフィルターユニットを通過することによって細塵が除去されて、集塵装置２０から通気口２７（図４）を介して接続流路１２へ排出される。
【００３８】
空気流Ｘは接続流路１２から電動送風機４を経て排気流路１３を通り排気フィルタ６と排出路５を介して排出口３から排出される。
なお、集塵装置２０は、サイクロン方式に限定されるものではなく、紙パック式や布袋式であってもよい。
【００３９】
（殺虫剤・忌避剤揮発装置）
図６は図４のＢ部拡大図である。
同図に示すように、排出路５の出口に排出路キャップ７が外側から取り外し可能に装填されている。排出路キャップ７は、複数の排出口３とフランジ７ａを有する板状部材で、外周から突出する複数のツメ７ｂを備える。
【００４０】
そして、排出路キャップ７は、排出路５の出口に装填されたときに、フランジ７ａが排出路５の出口の周縁に当接すると共に、複数のツメ７ｂが排出路５の内壁の凹部に係止して固定されるようになっている。
【００４１】
また、排出路キャップ７には、殺虫成分または害虫忌避成分を有する植物精油を樹脂に練り込んだ成形品が使用される。この植物精油としては、ウインターグリーン、ヒノキ、ユーカリなどから精製されたオイルが好適である。また、この成形品としては、例えば、クラレリビング（株）製のＳＲＯＰＥ（商品名）が挙げられる。
【００４２】
このような構成において、電動送風機４が駆動すると、電動送風機４の排熱によって４０〜６０度に加熱された空気が、電動送風機４から排出路５と排出口３を通って外部へ排出される。
【００４３】
この時、この加熱された空気によって排出路キャップ７が加熱され、排出路キャップ７に含まれる植物精油が揮発して、排出空気とともにふとんやカーペットなどの掃除対象物に吹き付けられる。
【００４４】
これによって、植物精油が掃除対象物に浸透し、掃除対象物の表面及び内部に生息する害虫の忌避処理や殺虫処理を効率よく行うことができる。
【００４５】
〔実施形態２〕
図７は、この発明の実施形態２に係る電気掃除機の図６対応図である。
同図に示すように、排出路５の出口に排出路キャップ８が外側から取り外し可能に装填されている。排出路キャップ８は、複数の排出口３ａとフランジ８ａを有する板状部材で、外周から突出する複数のツメ８ｂを備える。
【００４６】
そして、排出路キャップ８は、排出路５の出口に装填されたときに、フランジ８ａが排出路５の出口の周縁に当接すると共に、複数のツメ８ｂが排出路５の内壁の凹部に係止して固定されるようになっている。
【００４７】
また、排出路キャップ８の内側表面には、通気性を有する不織布８ｃが接着される。不織布８ｃには、例えば、ウレタン樹脂製の不織布に前述の植物精油を含浸させたブリジストンケービージー（株）製のＨＲ−５０（商品名）が用いられる。
【００４８】
このような構成において、電動送風機４が駆動すると、電動送風機４の排熱によって４０〜６０度に加熱された空気が、電動送風機４から排出路５と排出口３ａを通って外部へ排出される。
【００４９】
この時、この加熱された空気によって不織布８ｃが加熱され、不織布８ｃに含まれる植物精油が揮発して、排出空気とともにふとんやカーペットなどの掃除対象物に吹き付けられる。
【００５０】
これによって、植物精油が掃除対象物に浸透し、掃除対象物の表面及び内部に生息する害虫の忌避処理や殺虫処理を効率よく行うことができる。
【００５１】
〔実施形態３〕
図８は、この発明の実施形態３に係る電気掃除機の図６対応図である。
同図に示すように、板状部材９が排出路５の出口の側壁に形成された対向する一対の開口５ａを介して水平に挿入され、取り外し可能に固定される。この時、板状部材９の先端および基端は、それぞれ対向する開口５ａに支持される。
【００５２】
そして、板状部材９は、実施形態１の排出路キャップ７と同様に殺虫成分または害虫忌避成分を有する植物精油を樹脂に練り込んだ成形品からなり、複数の排出口３ｂを有する。
【００５３】
このような構成において、電動送風機４が駆動すると、電動送風機４の排熱によって４０〜６０度に加熱された空気が、電動送風機４から排出路５と排出口３ｂを通って外部へ排出される。
【００５４】
この時、この加熱された空気によって板状部材９が加熱され、板状部材９に含まれる植物精油が揮発して、排出空気とともにふとんやカーペットなどの掃除対象物に吹き付けられる。
【００５５】
これによって、植物精油が掃除対象物に浸透し、掃除対象物の表面及び内部に生息する害虫の忌避処理や殺虫処理を効率よく行うことができる。
【符号の説明】
【００５６】
１  電気掃除機、  ２  吸込口、  ３，３ａ、３ｂ  排出口、  ４  電動送風機、４ａ  電動送風機駆動モータ、５  排出路、５ａ  開口、５ｂ、５ｃ  支持部材、６  排気フィルタ、７、８  排出路キャップ、７ａ、８a  フランジ、７ｂ、８b  ツメ、９  板状部材、１０  掃除機本体、  １１  吸引流路、  １２  接続流路、  １３  排気流路、  １４  回転ブラシ駆動モータ、  ２０  集塵装置、  ２１集塵カップ、  ２１ａ  流入口、  ２２  上蓋ユニット、  ２３  カバー、  ２５  仕切壁、  ２６  回転ブラシ、  ２７  通気口、  ２９  案内部、  ３０  把手、  ４０  遠心分離部、    ２１１  内筒部、  ２１１ａ  上側端縁、２１１ｂ  スリット、  ２１１ｃ  胴部、  ２１１ｄ  下側端縁、  ２１２  ダスト仕切部、  ２１２ａ  フランジ部、  ２１２ｂ  大経筒部、  ２１２ｃ  小経筒部、  Ａ  矢印、  Ｙ  矢印、  Ｘ  矢印
【図１】
2018082803.tif 000003
【図２】
2018082803.tif 000004
【図３】
2018082803.tif 000005
【図４】
2018082803.tif 000006
【図５】
2018082803.tif 000007
【図６】
2018082803.tif 000008
【図７】
2018082803.tif 000009
【図８】
2018082803.tif 000010